(57)【要約】      （修正有）【課題】トリムカバー端末に取り付けるときの位置決め手段を容易に構成でき、トリムカバー端末への取付位置に変更が生じた場合であっても容易に対応して対処できると共に、トリムカバー端末への間違った取り付けを効果的に抑制することのできるトリムカバー端末の係止部材及びその係止部材が用いられる乗り物用シートを提供する。【解決手段】トリムカバー５端末の三角状に切り欠かれたシート切欠部１０に、フック７のエッジ９にシート切欠部１０と同一形状のマーク１２を重ね合わせた状態で、フック７のエッジ９ラインをトリムカバー５の端末ラインに整合させ、縫い溝１４に沿ってフック７をトリムカバー５に縫着する。マーク１２は、シート切欠部１０に対応するようにフック７に印刷されており、さらにフック７には、間違ったフック７のトリムカバー５への取り付けを抑制する「識別」「製品情報」「注意喚起」に係る表示も印刷されている。【選択図】図５
0003181196.tif 000002
【実用新案登録請求の範囲】
【請求項１】
乗り物用シートのシートパッドを被覆するトリムカバーの端末に取り付けられ、前記シートパッドを支持するシートフレームに係止することにより前記トリムカバーを前記シートフレームに固定するトリムカバー端末の係止部材であって、
前記トリムカバー端末の所定位置に取り付ける取付方法を明示する取付表示を表面に付したことを特徴とするトリムカバー端末の係止部材。
【請求項２】
前記取付表示は、前記トリムカバー端末に形成された位置決め用の目じるしに重ね合わせる表示であって、前記係止部材の表面に所定の形状で形成された位置決め表示を含むこと
を特徴とする請求項１に記載のトリムカバー端末の係止部材。
【請求項３】
前記位置決め表示の少なくとも一部が前記トリムカバーの位置決め用の目じるしに重なる場合には、前記係止部材を前記トリムカバーに取り付けたときの取付誤差が所定の公差範囲に収まるように該位置決め表示を所定の形状及び大きさに形成したこと
を特徴とする請求項２に記載のトリムカバー端末の係止部材。
【請求項４】
前記位置決め表示は、前記係止部材の表面縁部に、前記トリムカバーの位置決め用の目じるしと同じ形状または多角形、丸、矢印若しくはＶ字状に形成されること
を特徴とする請求項２または請求項３に記載のトリムカバー端末の係止部材。
【請求項５】
前記取付表示は、間違った前記係止部材の前記トリムカバーへの取り付けを抑制する表示であって、前記係止部材の表面に文字、数字または／及び記号で付された誤取付抑制表示を含むこと
を特徴とする請求項１乃至請求項４の何れか１項に記載のトリムカバー端末の係止部材。
【請求項６】
前記誤取付抑制表示は、前記係止部材の識別に係る識別表示を含むこと
を特徴とする請求項５に記載のトリムカバー端末の係止部材。
【請求項７】
前記識別表示は、前記係止部材の左右、上下または／及び表裏を識別可能に表示すること
を特徴とする請求項６に記載のトリムカバー端末の係止部材。
【請求項８】
前記誤取付抑制表示は、前記係止部材の製品情報に係る製品情報表示を含むこと
を特徴とする請求項５乃至請求項７の何れか１項に記載のトリムカバー端末の係止部材。
【請求項９】
前記製品情報表示は、前記係止部材の品名、長さ寸法、背番号、メーカー名、製造年月日、製造時刻、製造号機、性能または／及び材質を表示すること
を特徴とする請求項８に記載のトリムカバー端末の係止部材。
【請求項１０】
前記誤取付抑制表示は、前記係止部材を前記トリムカバーへ取り付けるときの注意喚起に係る注意喚起表示を含むこと
を特徴とする請求項５乃至請求項９の何れか１項に記載のトリムカバー端末の係止部材。
【請求項１１】
前記係止部材は、前記トリムカバーに縫着により取り付けられ、
前記注意喚起表示は、前記係止部材の縫い方、縫製位置または／及び縫い糸の指定を表示すること
を特徴とする請求項１０に記載のトリムカバー端末の係止部材。
【請求項１２】
前記係止部材は、前記トリムカバーに縫着により取り付けられ、
前記取付表示は、前記係止部材を前記トリムカバーへ縫着するときの縫い目に係る表示であって、前記係止部材の前記トリムカバーへの縫着位置をガイドする該係止部材の表面にライン状に形成された縫着ガイド表示を含むこと
を特徴とする請求項１乃至請求項１１の何れか１項に記載のトリムカバー端末の係止部材。
【請求項１３】
前記縫着ガイド表示は、前記係止部材の表面縫着位置に、実線、破線、点線、波線、一点鎖線、二点鎖線または二重線にて表示されること
を特徴とする請求項１２に記載のトリムカバー端末の係止部材。
【請求項１４】
前記係止部材は、樹脂材により形成され、
前記取付表示は、前記係止部材の表面にインクジェットプリンタで印刷にて形成されること
を特徴とする請求項１乃至請求項１３の何れか１項に記載のトリムカバー端末の係止部材。
【請求項１５】
前記シートパッドを支持する前記シートフレームに、請求項１乃至請求項１４の何れか１項に記載のトリムカバー端末の係止部材を係止して該トリムカバーを前記シートフレームに固定することにより、前記シートパッドを前記トリムカバーで被覆してなること
を特徴とする乗り物用シート。
【考案の詳細な説明】
【技術分野】
【０００１】
本考案は、トリムカバー端末に取り付けられ、シートフレームに係止することによりトリムカバーをシートに固定するトリムカバー端末の係止部材及びその係止部材が用いられる乗り物用シートに関する。
【背景技術】
【０００２】
従来より、自動車用シート等のシートクッション（座部）、シートバック（背部）は、着座者に弾性を与えるシートパッド等の弾性体を、革や布等からなるトリムカバーで被覆して形成されている。
【０００３】
トリムカバーは、例えば特許文献１に示すように、シートへの取付性を向上させるため、トリムカバーの端末に所定の断面形状を有する合成樹脂製のフック（係止部材）を縫着し、このフックをシートクッションやシートバックを支持するシートフレームの所定部位に係止することにより、シートに固定するようになっている。
【０００４】
ここで、フックをトリムカバーの端末に縫着する場合について、図面を参照しながら説明する。図８は、フックＰ７をトリムカバーＰ５の端末に取り付けるときの従来技術を説明するための説明図であり、（Ａ）は斜視図、（Ｂ）は（Ａ）のＡ−Ａ断面図である。
【０００５】
フックＰ７をトリムカバーＰ５の端末に取り付けるには、破線矢印Ｙ１に示すように、トリムカバーＰ５端末の三角状に切り欠かれたシート切欠部Ｐ１０に、フックＰ７のエッジＰ９にシート切欠部Ｐ１０と同一形状に切り欠かれたフック切欠部Ｐ１２を重ね合わせ、この状態で実線矢印Ｙ２、Ｙ３に示すように、フックＰ７のエッジＰ９ラインをトリムカバーＰ５の端末ラインに整合させる。そして、フックＰ７に浅凹状に形成された縫い溝Ｐ１４に沿ってミシンを掛けることにより、フックＰ７をトリムカバーＰ５の端末に縫着していた。つまり、従来では、シート切欠部Ｐ１０及びフック切欠部Ｐ１２が、フックＰ７をトリムカバーＰ５の端末に取り付けるときの位置決め手段となっていた。
【０００６】
なお、図中、Ｐ１６は、フックＰ７に穿設された窓部であり、この窓部Ｐ１６は、フックＰ７をシートフレームに係止したとき、シートフレームの突起物、例えばボルトやナット等を避けるための穴である。また、Ａ−Ａ断面図におけるＮは、フックＰ７をトリムカバーＰ５の端末に縫着したときの縫い目を表している。
【先行技術文献】
【特許文献】
【０００７】
【特許文献１】特開２０００−１８９２９３号公報
【考案の概要】
【考案が解決しようとする課題】
【０００８】
しかしながら、上記した従来技術では、フックＰ７の位置決め手段として、フックＰ７のエッジＰ９に切り欠かれたフック切欠部Ｐ１２を用いているので、例えば窓部Ｐ１６の位置ズレ等、作業上の様々な理由により、フックＰ７のトリムカバーＰ５への取付位置に変更が生じると問題となる。
【０００９】
即ち、フックＰ７のトリムカバーＰ５への取付位置に変更が生じると、位置決め手段としてのフック切欠部Ｐ１２の位置も変更しなければならない。ところが、フックＰ７は、フックＰ７の形状に対応する金型により成形されているので、フック切欠部Ｐ１２の位置を変更するには、新たに金型を起こす必要があり、このためコストがかかって不経済になるとともに、全体の作業時間も長くなって納期に支障を来すという問題点がある。
【００１０】
また、フックＰ７をトリムカバーＰ５へ取り付ける際には、手順書や見本等を確認することにより、間違ったフックＰ７の取り付けを防止するようにしている。しかしながら、フックＰ７は、例えばその断面形状がＵ字状やＪ字状であったり、左右端部の断面形状が対称や非対称であったり、或いは、長さが微妙に異なっていたりするので、即ち、フックＰ７は、見かけ上僅かに相違した多数の種類のものが存在し、しかも、同じ形状のフックＰ７であってもトリムカバーＰ５へ表裏逆に取り付ける場合や、左右端部の縫い方が違ったりする場合等がある。
【００１１】
このため、フックＰ７をトリムカバーＰ５へ取り付ける作業は極めて煩わしい作業となり、作業者にいくら手順書や見本等を確認させても、間違ったフックＰ７の取り付けを防止するには限界があり、対策としては不十分であった。
【００１２】
本考案は、上記したような問題点に鑑みなされたもので、その目的とするところは、トリムカバー端末に取り付けるときの位置決め手段を容易に構成でき、トリムカバー端末への取付位置に変更が生じた場合であっても容易に対応して対処できると共に、トリムカバー端末への間違った取り付けを効果的に抑制することのできるトリムカバー端末の係止部材及びその係止部材が用いられる乗り物用シートを提供することにある。
【課題を解決するための手段】
【００１３】
このような問題を解決するために、本考案のトリムカバー端末の係止部材は、請求項１に記載したように、乗り物用シートのシートパッド（シートパッド６）を被覆するトリムカバー（トリムカバー５）の端末に取り付けられ、前記シートパッド（シートパッド６）を支持するシートフレーム（シートフレーム４）に係止することにより前記トリムカバー（トリムカバー５）を前記シートフレーム（シートフレーム４）に固定するトリムカバー（トリムカバー５）端末の係止部材（フック７）であって、前記トリムカバー（トリムカバー５）端末の所定位置に取り付ける取付方法を明示する取付表示（マーク１２、縫い線１９、表示２１、２２、２３、２４、２５）を表面に付したことを要旨とする。
【００１４】
つまり、本考案は、係止部材をトリムカバー端末に取り付けるときの取付方法が、係止部材の表面に付されている。従って、このように構成される本考案では、係止部材のトリムカバー端末への取付方法に変更があった場合でも容易に対応して対処できると共に、トリムカバー端末への間違った取り付けを効果的に抑制できるという、極めて顕著な効果を奏する。
【００１５】
また、請求項２に記載の考案は、請求項１に記載のトリムカバー端末の係止部材において、前記取付表示は、前記トリムカバー（トリムカバー５）端末に形成された位置決め用の目じるし（シート切欠部１０）に重ね合わせる表示であって、前記係止部材（フック７）の表面に所定の形状で形成された位置決め表示（マーク１２）を含むことを要旨とする。
【００１６】
つまり、本考案は、取付表示は、係止部材の表面に所定の形状で形成された位置決め手段としての位置決め表示を有している。そして、この位置決め表示をトリムカバー端末に形成された位置決め用の目じるしと重ね合わせることで、係止部材をトリムカバー端末に取り付けるようにしている。
【００１７】
従って、このように構成される本考案では、係止部材のトリムカバー端末への取付位置に変更が生じた場合であっても、係止部材における位置決め手段としての位置決め表示を形成する位置を、適宜変更するだけでよい。その結果、従来のように新たに係止部材の金型を起こす必要がなく経済的であると共に、全体の作業時間が長くなって納期に支障を来すこともない。即ち、本考案のトリムカバー端末の係止部材は、係止部材のトリムカバー端末への取付位置に変更が生じた場合であっても、極めて容易且つ迅速に対処できるという顕著な効果を奏する。
【００１８】
ここで、係止部材における位置決め手段としての位置決め表示は、次のようにその形状及び大きさを形成するとよい。即ち請求項３に記載の考案は、請求項２に記載のトリムカバー端末の係止部材において、前記位置決め表示（マーク１２）の少なくとも一部が前記トリムカバー（トリムカバー５）の位置決め用の目じるし（シート切欠部１０）に重なる場合には、前記係止部材（フック７）を前記トリムカバー（トリムカバー５）に取り付けたときの取付誤差が所定の公差範囲に収まるように該位置決め表示（マーク１２）を所定の形状及び大きさに形成したことを要旨とする。
【００１９】
つまり、本考案は、位置決め表示が、係止部材をトリムカバー端末に取り付けるときの位置決め手段としての機能に加え、係止部材をトリムカバーに取り付けたときの取付誤差が所定の公差範囲に収まっているか否かの判断機能も有している。
【００２０】
従って、このように構成される本考案では、係止部材をトリムカバー端末へ取り付ける作業を、さらに正確且つ迅速にできるという顕著な効果を奏する。加えて、位置決め表示は、係止部材の表面に付して表示形成されているので、位置決め表示の形状や大きさを適宜変更することができ、その結果、係止部材をトリムカバーに取り付けるときの取付誤差に係る公差を、所望の範囲に容易に変更することもできる。
【００２１】
そして、位置決め表示の具体的な実施態様としては、請求項４に記載したように、前記位置決め表示（マーク１２）は、前記係止部材（フック７）の表面縁部に、前記トリムカバー（トリムカバー５）の位置決め用の目じるし（シート切欠部１０）と同じ形状または多角形、丸、矢印若しくはＶ字状に形成するとよい。
【００２２】
また、請求項５に記載の考案は、請求項１乃至請求項４の何れか１項に記載のトリムカバー端末の係止部材において、前記取付表示は、間違った前記係止部材（フック７）の前記トリムカバー（トリムカバー５）への取り付けを抑制する表示であって、前記係止部材（フック７）の表面に文字、数字または／及び記号で付された誤取付抑制表示（表示２１、２２、２３、２４、２５）を含むことを要旨とする。
【００２３】
つまり、本考案は、取付表示は、間違った係止部材のトリムカバーへの取り付けを抑制する誤取付抑制手段としての誤取付抑制表示を有している。そして、この誤取付抑制表示は、文字、数字または／及び記号で、位置決め表示と同様に係止部材の表面に付されて形成されている。
【００２４】
従って、このように構成される本考案では、見かけ上僅かに相違した多数の種類のものが存在し、しかもトリムカバーへの取り付け方も様々な係止部材を、作業者は、従来のようにいちいち手順書や見本等を確認することなく、係止部材自体に付された誤取付抑制表示を見るだけで、正確且つ迅速にトリムカバー端末へ取り付けることができる。その結果、係止部材をトリムカバーへ取り付ける煩わしい作業を容易にして、作業効率を著しく高めることができるという顕著な効果を奏する。さらに、誤取付抑制表示は係止部材の表面に付して表示形成されているので、表示内容の変更があった場合でも容易に対応して対処できる。
【００２５】
ここで、誤取付抑制表示は、請求項６に記載したように、前記誤取付抑制表示は、前記係止部材（フック７）の識別に係る識別表示（表示２１、２２）を含んでいるとよい。そして、識別表示の具体的な実施態様としては、請求項７に記載したように、前記識別表示は、前記係止部材（フック７）の左右、上下または／及び表裏を識別可能に表示するとよい。
【００２６】
さらには、誤取付抑制表示は、請求項８に記載したように、前記誤取付抑制表示は、前記係止部材（フック７）の製品情報に係る製品情報表示（表示２３）を含んでいるとよい。そして、製品情報表示の具体的な実施態様としては、請求項９に記載したように、前記製品情報表示は、前記係止部材（フック７）の品名、長さ寸法、背番号、メーカー名、製造年月日、製造時刻、製造号機、性能または／及び材質を表示するとよい。
【００２７】
また、さらには、誤取付抑制表示は、請求項１０に記載したように、前記誤取付抑制表示は、前記係止部材（フック７）を前記トリムカバー（トリムカバー５）へ取り付けるときの注意喚起に係る注意喚起表示（表示２４、２５）を含んでいるとよい。そして、注意喚起表示の具体的な実施態様としては、請求項１１に記載したように、前記係止部材（フック７）は、前記トリムカバー（トリムカバー５）に縫着により取り付けられ、前記注意喚起表示は、前記係止部材（フック７）の縫い方、縫製位置または／及び縫い糸の指定を表示するとよい。
【００２８】
また、請求項１２に記載の考案は、請求項１乃至請求項１１の何れか１項に記載のトリムカバー端末の係止部材において、前記係止部材（フック７）は、前記トリムカバー（トリムカバー５）に縫着により取り付けられ、前記取付表示は、前記係止部材（フック７）を前記トリムカバー（トリムカバー５）へ縫着するときの縫い目に係る表示であって、前記係止部材（フック７）の前記トリムカバー（トリムカバー５）への縫着位置をガイドする該係止部材（フック７）の表面にライン状に形成された縫着ガイド表示（縫い線１９）を含むことを要旨とする。
【００２９】
つまり、本考案は、係止部材はトリムカバーに縫着により取り付けられており、取付表示は、係止部材をトリムカバー端末に縫着するときの、係止部材の縫着位置をガイドする縫い目として、係止部材の表面にライン状に形成された縫着ガイド表示を有している。そして、この縫着ガイド表示に沿ってミシンを掛けることにより、係止部材をトリムカバー端末に縫着することができる。
【００３０】
従って、このように構成される本考案では、係止部材のトリムカバー端末への縫着位置に変更が生じた場合であっても、係止部材における縫い目としての縫着ガイド表示を形成する位置を、適宜変更するだけでよい。その結果、請求項１記載の考案と同様に、新たに係止部材の金型を起こす必要がなく経済的であると共に、全体の作業時間が長くなって納期に支障を来すこともない。即ち、本考案のトリムカバー端末の係止部材は、係止部材のトリムカバー端末への縫着位置に変更が生じた場合であっても、極めて容易且つ迅速に対処することができるという顕著な効果を奏する。
【００３１】
そして、縫着ガイド表示の具体的な実施態様としては、請求項１３に記載したように、前記縫着ガイド表示は、前記係止部材（フック７）の表面縫着位置に、実線、破線、点線、波線、一点鎖線、二点鎖線または二重線にて表示するとよい。
【００３２】
また、請求項１４に記載の考案は、請求項１乃至請求項１３の何れか１項に記載のトリムカバー端末の係止部材において、前記係止部材（フック７）は、樹脂材により形成され、前記取付表示（マーク１２、縫い線１９、表示２１、２２、２３、２４、２５）は、前記係止部材（フック７）の表面にインクジェットプリンタで印刷にて形成されることを要旨とする。従って、このように構成される本考案では、樹脂材により形成された係止部材の表面に、取付表示を容易且つ安価に印刷して形成することができる。
【００３３】
そして、請求項１５に記載したように、乗り物用シート（自動車用シート１）を、前記シートパッド（シートパッド６）を支持する前記シートフレーム（シートフレーム４）に、請求項１乃至請求項１４の何れか１項に記載のトリムカバー（トリムカバー５）端末の係止部材（フック７）を係止して該トリムカバー（トリムカバー５）を前記シートフレーム（シートフレーム４）に固定することにより、前記シートパッド（シートパッド６）を前記トリムカバー（トリムカバー５）で被覆して構成するようにすれば、好適である。
【００３４】
因みに、上記括弧内の名称及び符号は、後述する実施形態に記載の具体的手段等との対応関係を示す一例であり、本考案（請求項１乃至請求項１５）は、上記括弧内の名称及び符号に示された具体的手段等に限定されるものではない。
【図面の簡単な説明】
【００３５】
【図１】本実施形態に係わるシートクッション３を一部破断した自動車用シート１を示す斜視図である。
【図２】本実施形態に係わるシートバック２を被覆するトリムカバー５ａ及びシートクッション３を被覆するトリムカバー５ｂを示す斜視図である。
【００３６】
【図３】本実施形態に係わるフック７の一例を示す斜視図及び側面図である。
【図４】本実施形態に係わる「識別」「製品情報」「注意喚起」に係る表示例が印刷されたフック７の斜視図である。
【００３７】
【図５】本実施形態に係わるフック７をトリムカバー５の端末に取り付けるときの説明図である。
【図６】本実施形態に係わるフック７をトリムカバー５の端末に取り付けたときのマーク１２とシート切欠部１０付近の平面拡大図である。
【００３８】
【図７】他の実施形態に係わる縫い溝１４に代えて縫い線１９が印刷されているフック７の一例を示す斜視図及び側面図である。
【図８】従来技術に係わるフックＰ７をトリムカバーＰ５の端末に取り付けるときの説明図である。
【考案を実施するための形態】
【００３９】
以下、本考案の実施の一形態を、図面に基づいて説明する。図１は、本考案に係るトリムカバー端末の係止部材を採用した自動車用シート１を示し、図中、２はシートバック、３はシートクッション、４はシートフレームである。図１に示すように、シートバック２及びシートクッション３は、シートフレーム４に支持され着座者に弾性を与える発泡体製のシートパッド６をトリムカバー５で被覆することにより形成されている。
【００４０】
図２を参照して、トリムカバー５は、予め袋状に縫製されており、その開口部端末に、シートフレーム４に係止してトリムカバー５を固定する係止部材としてのフック７が縫着されている。図２において、（Ａ）はシートバック２を被覆するトリムカバー５ａを背面側から見た斜視図、（Ｂ）は（Ａ）のトリムカバー５ａを正面側から見た斜視図であり、トリムカバー５ａ端末には、例えば図示するようなそれぞれ形状の異なるフック７ａ、７ｂ、７ｃ、７ｄが所定の取り付け方にて縫着されている。
【００４１】
また、（Ｃ）はシートクッション３を被覆するトリムカバー５ｂを背面側から見た斜視図、（Ｄ）は（Ｃ）のトリムカバー５ｂを正面側から見た斜視図であり、トリムカバー５ｂ端末には、例えば図示するような形状の異なるフック７ｅ、７ｆが所定の取り付け方にて縫着されている。
【００４２】
ここでフック７の構成について説明する。フック７は、可撓性のある合成樹脂材等により形成され、例えばその断面がＵ字状やＪ字状であったり、左右端部の断面形状が対称や非対称であったり、長さがそれぞれ異なったりする等、上記したようにトリムカバー５の種類や取り付ける端末箇所によって多数の種類のものが存在している。
【００４３】
図３にフック７の一例を示す。図３において、（Ａ）はフック７の斜視図、（Ｂ）はフック７の側面図である。フック７は、図示するように断面略Ｊ字状に形成され、トリムカバー５の端末を縫着する平板状の基部１７ａと、この基部１７ａから湾曲状に延びて該基部１７ａと一体成形される先部１７ｂとから構成されている。
【００４４】
先部１７ｂは、その先端側が略Ｓ字状に形成されて基部１７ａと所定の隙間８を形成しており、この隙間８にシートフレーム４を差し込むことで、フック７が撓みながらシートフレーム４に係止され、これによりトリムカバー５はワンタッチで固定されるようになっている。なお、フック７は、その断面形状によって、シートフレーム４との係止態様は様々である。
【００４５】
また、基部１７ａは、エッジ９側に近い内面に縫い溝１４が浅凹状に形成されており、この縫い溝１４とエッジ９との間の内面には、フック７をトリムカバー５端末に取り付けるときの位置決め手段としてのマーク１２が表示されている。このマーク１２は、インクジェットプリンタ等で印刷されて表示されるようになっており、図示では、所定色（例えば黒）で三角状に２箇所表示されている。なお、このマーク１２は、フック７をトリムカバー５端末に取り付けるとき、後述のシート切欠部１０（図５参照）と重合するようにフック７の所定位置に設けられている。また基部１７ａにおいて、縫い溝１４より先部１７ｂ側に近い面には、フック７をシートフレーム４に固定したとき、シートフレーム４の突起物、例えばボルトやナット等を避けるための窓部１６が穿設されている。なお、この窓部１６の形状は、特に限定するものではない。
【００４６】
また、フック７には、マーク１２以外にも、間違ったフック７のトリムカバー５への取り付けを防止するため、フック７の特徴に合わせて個別またはグループ毎に様々な表示が印刷されるようになっている。この表示としては、大別すると図４に示すような「識別」「製品情報」「注意喚起」に係る表示がある。なお、図４において、（Ａ）は「識別」に係る表示例が印刷されたフック７の斜視図、（Ｂ）は「製品情報」に係る表示例が印刷されたフック７の斜視図、（Ｃ）（Ｄ）は「注意喚起」に係る表示例が印刷されたフック７の斜視図である。
【００４７】
「識別」に係る表示は、図４（Ａ）に示すようなフック７の右左を識別させる「Ｒ（右）」「Ｌ（左）」の表示２１、２２や、図示省略するが、フック７の表裏や上下を識別させる「表」「裏」「上」「下」等の表示がある（「表」「裏」は、縫い溝１４のないタイプや縫い溝１４を使用しない場合に表示）。また、例えば「Ｒ」「Ｌ」が印刷されている面が表、印刷されていない面が裏、或いは、「Ｒ」「Ｌ」と正しく読める方向を規準として上下を識別させるようにしてもよい（図４（Ａ）においては、基部１７ａの内面が表、外面が裏、エッジ９側が上、先部１７ｂ側が下）。このようにすれば、「Ｒ」「Ｌ」の表示２１、２２のみでフック７の表裏や上下を識別させることができ、効率がよい。なお、これは、「Ｒ」「Ｌ」の表示２１、２２以外でも同様である。
【００４８】  「製品情報」に係る表示は、図４（Ｂ）に示すようなフック７の品番を示す「（公序良俗違反につき、不掲載）１２３４５６」の表示２３や、その他、図示省略するが、所定の製品情報が読み取れるＱＲコード（ＱＲコードは登録商標）やバーコード、品名、長さ寸法、背番号、メーカー名、製造年月日、製造時刻、製造号機、性能表示、材質表示等の表示がある。これらの「製品情報」に係る表示は、自社のみでなく、製品を納めた相手先において当該製品が使用条件に合致しているか否かの判断や、リサイクルとして部品を分別するとき等にも効果がある。
【００４９】
「注意喚起」に係る表示は、図４（Ｃ）に示すようなフック７の側端部１８のほつれ防止の縫い方を指定する「端末Ｎ返し」（側端部１８を糸でＮ字状に縫う縫い方、Ｉ字状等でもよい）の表示２４や、図４（Ｄ）に示すように、文字で具体的にフック７を位置決めするときの注意を喚起させる「カバーのマークに合わせる」の表示２５等がある。その他の例としては、フック７を縫う糸の色やサイズ（太さ）を指定する表示、或いは、上記した「識別」に係る表示と共に、この「識別」に係る表示を文字で具体的に注意喚起する表示等が挙げられる。
【００５０】
このように構成されるフック７をトリムカバー５端末に取り付けるには、図５の破線矢印Ｙ４、Ｙ５に示すように、トリムカバー５端末の三角状に切り欠かれたシート切欠部１０に、フック７のエッジ９にシート切欠部１０と同一形状に印刷されたマーク１２を重ね合わせる。なお、図５は、フック７をトリムカバー５の端末に取り付けるときの説明図であり、（Ａ）は斜視図、（Ｂ）は（Ａ）のＡ−Ａ断面図である。また、図５においてトリムカバー５は、図２（Ｃ）に示したシートクッション３を被覆するトリムカバー５ｂのＫ１部分である。また、図５では、上記した「識別」「製品情報」「注意喚起」に係る表示は省略している。
【００５１】
そして、マーク１２をシート切欠部１０に重ね合わせたら、その状態で実線矢印Ｙ６、Ｙ７に示すように、フック７のエッジ９ラインをトリムカバー５の端末ラインに整合させ、縫い溝１４に沿ってミシンを掛けることにより、フック７をトリムカバー５の端末に縫着する。
【００５２】
ここで、図６を参照しながら、フック７をトリムカバー５に取り付けるときの取付誤差の公差について説明する。図６は、フック７をトリムカバー５の端末に取り付けたときのマーク１２とシート切欠部１０付近の平面拡大図である。図に示すように、フック７のマーク１２は、トリムカバー５のシート切欠部１０にぴったりと一致していないが、マーク１２の辺Ｈ１がシート切欠部１０の辺Ｈ２と僅かでも重なっていれば公差の範囲内となる。
【００５３】
このように、マーク１２は、フック７をトリムカバー５に取り付けたときの取付誤差が公差範囲に収まっているか否かが容易に判断できるよう、所定の形状に印刷されている。なお、このマーク１２の形状は、上記した三角状に限らず、四角状等であってもよく、要は、辺Ｈ１を含んで形成される形状であれば、どのような形状であってもよい。そして、公差範囲を狭くしたいときは辺Ｈ１を短くし、公差範囲を広くしたいときは辺Ｈ１を長く形成するようにすればよく、これにより、例えば特定のフック７の公差を所望の範囲に容易に変更することが可能となる。
【００５４】
なお、フック７は、所定の樹脂材を押し出し成形によりエンドレスな所定の断面形状に形成し、エンコーダで印刷位置や切断位置等を制御しながらインクジェットプリンタでマーク１２や上記した「識別」「製品情報」「注意喚起」に係る表示等を印刷した後、切断機にて所定の長さに切断されて製造されるようになっている。また、窓部１６は、切断機により、切断と同時に穿設されるようになっている。
【００５５】
以上の説明から明らかなように、本実施形態に係るトリムカバー５端末に取り付けられる係止部材としてのフック７は、トリムカバー５端末に取り付けるときの位置決め手段としてのマーク１２を、トリムカバー５端末の三角状に切り欠かれたシート切欠部１０と対応する位置に、インクジェットプリンタ等で印刷にて表示形成している。
【００５６】
これにより、フック７のトリムカバー５への取付位置に変更が生じた場合であっても、マーク１２の印刷位置を変更するだけで極めて容易且つ迅速に対処することができ、その結果、従来のように新たに金型を起こす必要がなく経済的であると共に、全体の作業時間が長くなって納期に支障を来すこともない。
【００５７】
また、フック７は、マーク１２以外にも、間違ったフック７のトリムカバー５への取り付けを防止するため、「識別」「製品情報」「注意喚起」に係る表示が同様に印刷にて形成されている。
【００５８】
これにより、その断面がＵ字状やＪ字状であったり、左右端部の断面形状が対称や非対称であったり、長さがそれぞれ異なったりする等、トリムカバー５の種類や取り付ける端末箇所によって見かけ上僅かに相違した多数の種類のものが存在し、しかも、同じ形状のフック７であってもトリムカバー５へ表裏逆に取り付ける場合や、左右端部の縫い方が違ったりする場合等があるフック７を、作業者は、いちいち手順書や見本等を確認することなく正確且つ迅速にトリムカバー５端末へ取り付けることができ、その結果、このフック７をトリムカバー５へ取り付ける煩わしい作業を容易にして作業効率を著しく高めることができる。
【００５９】
さらに、マーク１２は、フック７をトリムカバー５に取り付けたとき、即ちマーク１２をシート切欠部１０に重ね合わせたとき、上記したようにその取付誤差が公差範囲に収まっているか否かが容易に分かるような形状に形成されている。
【００６０】
これにより、フック７をトリムカバー５端末へ取り付ける作業を、さらに正確且つ迅速にすることができ、加えて、マーク１２は印刷により表示形成されているので、その結果、このフック７をトリムカバー５に取り付けるときの取付誤差に係る公差を、所望の範囲に容易に変更することもできる。
【００６１】
以上、本考案のトリムカバー５端末のフック７を図面に基づいて説明したが、具体的な構成は実施形態に示したものに限定されるものではなく、本考案の要旨を逸脱しない範囲における変更や追加などがあっても本考案に含まれる。例えば、上記した実施形態では、自動車用シート１に本考案を適用するようにしたが、これは自動車用シート１に限定されず、例えば、電車、飛行機、船舶、その他の乗り物用シートにも適用することができる。
【００６２】
また、上記した実施形態では、フック７に浅凹状の縫い溝１４を設け、この縫い溝１４に沿ってミシンを掛けることにより、フック７をトリムカバー５端末に縫着するようにしたが、これは、図７に示すように、縫い溝１４を省略し、その代わりにライン状の縫い線１９をマーク１２と同様に印刷し、この印刷された縫い線１９の表示に沿ってミシンを掛けることにより、フック７をトリムカバー５端末に縫着するようにしてもよい。
【００６３】
また、縫い線１９は、図７では実線で示したが、破線、点線、波線、一点鎖線、二点鎖線、二重線等、その他のライン状の線でもよい。なお、図７は、縫い溝１４に代えて縫い線１９が印刷されているフック７の一例を示し、（Ａ）はフック７の斜視図、（Ｂ）はフック７の側面図である。また、図７において、上述した実施形態と同様な構成については同じ符号を付している。
【００６４】
このようにすると、フック７のトリムカバー５への縫着位置が変更になったとき、この縫い線１９の印刷位置を変更するだけで極めて容易且つ迅速に対処することができ、その結果、上記したマーク１２の効果と同様に、新たに金型を起こす必要がなく経済的であると共に、全体の作業時間が長くなって納期に支障を来すこともない。
【００６５】
また、上記した実施形態では、図６に示したように、マーク１２の辺Ｈ１がシート切欠部１０の辺Ｈ２と僅かでも重なっていれば、フック７をトリムカバー５に取り付けたときの取付誤差が公差の範囲内に収まっていると判断するように構成したが、これは、例えば、辺Ｈ１、辺Ｈ２に限定することなく、マーク１２の何れかの箇所とシート切欠部１０の何れかの箇所とが重なってさえいれば、この公差の範囲内に収まっていると判断するように構成してもよい。要は、マーク１２が、フック７をトリムカバー５端末に取り付けるときの位置決め手段としての機能に加え、フック７をトリムカバー５に取り付けたときの取付誤差が所定の公差範囲に収まっているか否かの判断機能を有していればよい。
【符号の説明】
【００６６】
１…自動車用シート、  ２…シートバック、
３…シートクッション、  ４…シートフレーム、
５、５ａ、５ｂ、Ｋ１、Ｐ５…トリムカバー、  ６…シートパッド、
７、７ａ、７ｂ、７ｃ、７ｄ、７ｅ、７ｆ、Ｐ７…フック、  ８…隙間、
９、Ｐ９…エッジ、  １０、Ｐ１０…シート切欠部、
１２…マーク、  １４、Ｐ１４…縫い溝、
１６、Ｐ１６…窓部、  １７ａ…基部、
１７ｂ…先部、  １８…側端部、
１９…縫い線、  ２１、２２、２３、２４、２５…表示、
Ｐ１２…フック切欠部、  Ｎ…縫い目、
Ｙ１、Ｙ２、Ｙ３、Ｙ４、Ｙ５、Ｙ６…矢印、  Ｈ１、Ｈ２…辺。
【図１】
0003181196.tif 000003
【図３】
0003181196.tif 000004
【図４】
0003181196.tif 000005
【図５】
0003181196.tif 000006
【図６】
0003181196.tif 000007
【図７】
0003181196.tif 000008
【図８】
0003181196.tif 000009
【図２】
0003181196.tif 000010
【手続補正書】
【提出日】平成24年11月15日(2012.11.15)
【手続補正１】
【補正対象書類名】明細書
【補正対象項目名】００４８
【補正方法】変更
【補正の内容】
【００４８】
「製品情報」に係る表示は、図４（Ｂ）に示すようなフック７の品番を示す「１２３４５６」の表示２３や、その他、図示省略するが、所定の製品情報が読み取れるＱＲコード（ＱＲコードは登録商標）やバーコード、品名、長さ寸法、背番号、メーカー名、製造年月日、製造時刻、製造号機、性能表示、材質表示等の表示がある。これらの「製品情報」に係る表示は、自社のみでなく、製品を納めた相手先において当該製品が使用条件に合致しているか否かの判断や、リサイクルとして部品を分別するとき等にも効果がある。
【手続補正２】
【補正対象書類名】図面
【補正対象項目名】図４
【補正方法】変更
【補正の内容】
【図４】
0003181196.tif 000011